(57)【特許請求の範囲】
【請求項１】
ワイン等のボトルの収容室と、該収容室を囲繞して配される可撓性を有する冷却管と、該収容室を形成すると共に該冷却管をボトルの側壁に密着させる押圧材とを備えてなるワイン等の冷却器において、前記押圧材がエアポンプに連結された空気袋であるワイン等の冷却器。
【請求項２】
前記冷却管内に冷媒を流通させる冷却手段を備えてなる請求項１記載のワイン等の冷却器。
【請求項３】
前記押圧材の圧縮係数が前記冷却管を構成する材料の圧縮係数より小さいことを特徴とする請求項１記載のワイン等の冷却器。
【請求項４】
前記冷却管が合成ゴムまたは合成樹脂のいずれかにより構成されてなる請求項１記載のワイン等の冷却器。
【発明の詳細な説明】
【０００１】
【発明の属する技術分野】
この発明は、ワイン、ビール、日本酒等のアルコール類、または、ジュース、水、等のための卓上冷却器に関するものである。
【０００２】
【従来の技術】
従来、ワイン等を家庭等において冷却するための卓上冷却器には、小型で、冷却性能に優れたものは殆ど知られていない。
実開平６−４１６３１号公報には、上面が開口し、収容された氷の溶けた水が内側から外側に通過可能な内桶と、同じく上面が開口し、内側面部及び底部に空隙を有しつつ前記内桶が挿入固定される外桶とを含むワインクーラーが開示されているが、該ワインクーラーにはボトルと内桶との間に氷が入るスペースが必要であり、この結果、外桶が大きくなって卓上冷却器には適さない。
また、特開２０００−１５４９５６号公報によれば、瓶を挿入可能な貫孔を有する環状製氷皿を備えたワインクーラーも公知であるが、前記実用新案公開公報記載の考案と同様に卓上冷却器に適さない他、冷媒としての氷とボトルとが直接接触することがないので、冷却能力が十分ではない。
【０００３】
【発明が解決しようとする課題】
本発明は、冷媒として氷を使用することなく、ワイン等の各種形状、大きさのボトルを十分に冷却することのできる卓上冷却器を提供することを目的とするものである。
【０００４】
【課題を解決するための手段】
本発明に係るワイン等の冷却器は、ワイン等のボトルの収容室と、該収容室を囲繞して配される可撓性を有する冷却管と、該冷却管をボトルの側壁に密着させる押圧材とを備えてなることを特徴とする。
前記ワイン等の冷却器は、前記冷却管内に冷媒を流通させる冷却手段を備えることが好ましい。
前記収容室は前記押圧材によって形成されてなることが好ましい。
前記押圧材の圧縮係数は前記冷却管を構成する材料の圧縮係数より小さいことが好ましい。
前記押圧材が発泡スチレン、発泡ウレタン、スポンジ、空気袋、等のクッション材からなることが好ましい。
前記押圧材が発泡スチレン、発泡ウレタン、スポンジ、等のクッション材を塊状または粒状にして袋詰めにしたものであることが好ましい。
前記押圧材がエアポンプに連結された空気袋であることが好ましい。
前記冷却管が合成ゴムまたは合成樹脂のいずれかにより構成されてなることが好ましい。
【０００５】
【発明の実施の形態】
以下、本発明に係る家庭用卓上冷却器の最良の形態を図面に基づいて説明する。図１は、卓上冷却器の外形を構成するケースを省略して図示した斜視図であり、観音開きとなるように構成された押圧材１０が横置きされている。即ち、押圧材１０は、略直方体の下部押圧材１１と左右の上部押圧材１２ａ、１２ｂにより構成され、これらの押圧材１０の中心部にワイン等の瓶の収容室２０が形成されている。図１において、収容室２０の手前側は閉塞され、奥側が開放されており、ワイン等の瓶の底部が手前側に、注ぎ口部が奥側に夫々設置されて、収納、取り出しが容易となるようになっている。
【０００６】
一方、図２（ｃ）は、本発明に係る縦置き型の卓上冷却器の斜視図であり、ワイン瓶３０が縦に設置された冷却器が示されている。図２（ｃ）において符号１８は押圧材１０の外側に設けられたケースであり、卓上冷却器の運搬、取扱とワイン等の注ぎを便利にするために、ケース１８には把手１３が設けられている。なお、本発明において卓上冷却器の設置方法は、前記した縦置き又は横置きの他、これらの中間配置としての斜め置きとすることもできる。
【０００７】
収容室２０を形成する押圧材１０の分割方法には特別の制限はなく、ワイン瓶３０の収納、取り出しが簡便且つ容易となるように分割することが好ましい。このような観点から、図１の実施形態では押圧材１０を３分割した観音開きとしたが、図示した横置きの場合、押圧材１０を垂直または水平方向に２分割して、開閉可能とするようにしてもよい。
後述する押圧材１０の形態と材質にもよるが、例えば、押圧材１０を空気袋により構成し、これをエアポンプで膨らませる形式のものとすれば、膨脹・収縮容積を大きく取れるので、押圧材を分割する必要はない（図２（ａ））。
【０００８】
押圧材１０は前記収容室２０を形成すると同時に、次述する冷却管４０をワイン瓶３０の側壁に密着させる役割を担っている。従って、押圧材１０の圧縮係数を冷却管４０を構成する材料の圧縮係数より小さくなるように選定して、冷却管４０をワイン瓶３０の側壁に密着し易いようにすることが好ましい。このような観点から、押圧材１０の材質を発泡スチレン、発泡ウレタン、スポンジ、空気袋、等のクッション材とすることが好ましい。
これらのクッション材は、そのまま瓶の収容室２０を有する形状に成形したり、該クッション材を塊状または粒状にして袋詰めすることが好ましい。
【０００９】
図２は、本発明に係る他の卓上冷却器の実施形態を示しており、冷却器を縦置きとし、空気袋による押圧材１０を用いた例（図２（ａ））を示している。即ち、図２（ｂ）に示すように、押圧材１０をマット状の空気袋によって構成し、該空気袋をエアポンプ１５で膨らませるようにしたものである。
【００１０】
本発明の卓上冷却器ではワイン等を冷却するために、ワイン瓶３０の収容室２０を囲繞するようにして、可撓性を有する冷却管４０が配される。冷却管４０の材質は、冷媒の使用に耐え、熱電導性に優れた合成ゴムまたは合成樹脂とすることが好ましく、合成ゴムとして、イソプレンゴム、スチレンブタジエンゴム、ブタジエンゴム、クロロプレンゴム、ブチルゴム、エチレンプロピレンゴム、ニトリルゴム、シリコーンゴム、フッ素ゴムを、合成樹脂として、ポリエチレン、架橋ポリエチレン、フッ化ビニリデン、エチレン四フッ化エチレン、四フッ化エチレン六フッ化プロピレン、四フッ化エチレン、パーフルオロアルコキシを、夫々例示することができる。
冷却管４０は可撓性を有しているので、押圧材から受ける押圧力によってワイン瓶３０の側壁面に沿った形状に変形することができ、どの様な形状、大きさのワイン瓶３０に対しても側壁面に密着可能である。該側壁面との接触面積を大きくするために冷却管４０のパイプ断面は円形に限らず、長円形としてもよい。
【００１１】
冷却管４０の管内には冷源が充填されることが必要である。特に、アンモニア、代替フロン等の通常用いられている冷媒を充填し、この冷媒を冷却手段４２によって管内を流通可能とすることが好ましい。本発明の卓上冷却器において冷却手段４２と冷媒には特別の制限はなく、従来公知の小型の冷却手段が用いられる。
【００１２】
【発明の効果】
本発明に係るワイン等の卓上冷却器によれば、
▲１▼各種形状、大きさのワインボトルを十分に冷却することができる、
▲２▼常温のボトルを卓上にて急速に冷却することができる。即ち、冷蔵庫、氷が不要である、
▲３▼氷を使用しない小型の冷却器であるから、ワイン等を冷却器から直接注ぐことができ、また、ボトルに水滴が付着することがない、
▲４▼小型の装置によって構成されているので、冷えたボトルをそのまま卓上で保冷しておくことができる、
という優れた効果を享受することができる。
【図面の簡単な説明】
【図１】本発明に係る卓上冷却器の外形を構成するケースを省略して図示した斜視図である。
【図２】本発明に係る縦置き型の卓上冷却器の斜視図であり（図２（ａ）、（ｃ））、図２（ｂ）はマット状の空気袋によって構成された押圧材１０の斜視図である。
【符号の説明】
１０  押圧材
１３  把手
１５  エアポンプ
１８  ケース
２０  収容室
３０  ワイン瓶
４０  冷却管
４２  冷却手段
【図１】
0003574643.tif 000002
【図２】
0003574643.tif 000003